(57)【要約】【課題】  保持器にころを挿入する作業の効率化を図ると共に、ころ挿入時の保持器の爪部の塑性変形を防止してころ外れを確実に防止する。【解決手段】  ころ３を収容するポケット１１を有する環状部１２と、該環状部１２のころ３の頭部側に径方向外方に延設されて該ころ３の頭部を保持する外向きフランジ部１３と、該外向きフランジ部１３に突設されてころ３の頭部に掛止する爪部１４とを備えた自動調心ころ軸受用保持器１０であって、爪部１４の基端部側の外向きフランジ部１３に切欠き２０を形成して爪部１４と外向きフランジ部１３との間にアーム部２１を設けることにより、爪部１４に弾性を付与する。【選択図】      図１
2006017137.tif 000002
【特許請求の範囲】
【請求項１】
内輪と外輪との間に転動体としての複列のころがそれぞれ保持器を介して周方向に転動可能に配設され、前記保持器が、前記ころを収容するポケットを有する環状部と、該環状部の前記ころの頭部側に径方向外方に延設されて該ころの頭部を保持する外向きフランジ部と、該外向きフランジ部に突設されて前記ころの頭部に掛止する爪部とを備えた自動調心ころ軸受であって、
前記爪部の基端部側の前記外向きフランジ部に切欠きを形成して前記爪部と前記外向きフランジ部との間にアーム部を設けることにより、前記爪部に弾性を付与したことを特徴とする自動調心ころ軸受。
【請求項２】
ころを収容するポケットを有する環状部と、該環状部の前記ころの頭部側に径方向外方に延設されて該ころの頭部を保持する外向きフランジ部と、該外向きフランジ部に突設されて前記ころの頭部に掛止する爪部とを備えた自動調心ころ軸受用保持器であって、
前記爪部の基端部側の前記外向きフランジ部に切欠きを形成して前記爪部と前記外向きフランジ部との間にアーム部を設けることにより、前記爪部に弾性を付与したことを特徴とする自動調心ころ軸受用保持器。
【発明の詳細な説明】
【技術分野】
【０００１】
本発明は、例えば一般産業機械等に使用される自動調心ころ軸受の保持器の改良に関する。
【背景技術】
【０００２】
自動調心ころ軸受は、取付け誤差や衝撃荷重により外輪や内輪が傾斜しても転動体の接触状態が変化しないため、異常荷重の発生を防止できるとともに、ラジアル負荷能力を大きくとることができる利点がある。そのため、自動調心ころ軸受は、製紙機械用の各種ロールネック軸受、車両用軸受や各種産業用軸受等としても広く利用されている。
図７は従来の自動調心ころ軸受の一例を示したものであり、この自動調心ころ軸受は、複列軌道１ａを有する内輪１と複列一体の球面軌道２ａを有する外輪２との間に転動体としての複列の球面ころ３が保持器４を介して周方向に転動可能に配設されている。
【０００３】
保持器４はプレス成形等により一体に形成されたもので、図７〜図９に示すように、球面ころ３を収容するポケット５を有する環状部６と、該環状部６の前記球面ころ３の頭部側に径方向外方に延設されて該球面ころ３の頭部を保持する外向きフランジ部７と、該外向きフランジ部７に突設されて前記球面ころ３の頭部に掛止する爪部８とを備えており、環状部６の前記球面ころ３の尾部側には径方向内方に延びる小径フランジ部９が形成されている。
【０００４】
ところで、外向きフランジ部７に突設された爪部８は、保持器４に球面ころ３を挿入した後、球面ころ３の頭部に形成された凹部３ａに掛止して球面ころ３が保持器４から外れるのを防止するためのものであるが、保持器４に球面ころ３を挿入する際には、図１０に示すように、爪部８を乗り越えさせる必要があり、従って、専用の挿入設備や治具等を用いて球面ころ３の挿入作業を行っている。
【発明の開示】
【発明が解決しようとする課題】
【０００５】
しかしながら、上記従来の自動調心ころ軸受用保持器４においては、全体に表面処理が施されて高い剛性を有しているため、保持器４に球面ころ３を挿入して爪部８を乗り越えさせる際に大きな力が必要となり、専用の挿入設備や治具等であっても挿入ミスが生じ易く、作業性に劣るという問題がある。
また、保持器４に球面ころ３を挿入して爪部８を乗り越えさせる際に爪部８が塑性変形する場合があり、このような場合には、球面ころ３を挿入した後に爪部８が球面ころ３の頭部の凹部３ａに掛止しなくなって保持器４から球面ころ３が外れる可能性がある。
【０００６】
本発明はこのような不都合を解消するためになされたものであり、保持器にころを挿入する作業の効率化を図ることができると共に、ころ挿入時の保持器の爪部の塑性変形を防止してころ外れを確実に防止することができる自動調心ころ軸受及び自動調心ころ軸受用保持器を提供することを目的とする。
【課題を解決するための手段】
【０００７】
上記目的を達成するために、請求項１に係る発明は、内輪と外輪との間に転動体としての複列のころがそれぞれ保持器を介して周方向に転動可能に配設され、前記保持器が、前記ころを収容するポケットを有する環状部と、該環状部の前記ころの頭部側に径方向外方に延設されて該ころの頭部を保持する外向きフランジ部と、該外向きフランジ部に突設されて前記ころの頭部に掛止する爪部とを備えた自動調心ころ軸受であって、
前記爪部の基端部側の前記外向きフランジ部に切欠きを形成して前記爪部と前記外向きフランジ部との間にアーム部を設けることにより、前記爪部に弾性を付与したことを特徴とする。
【０００８】
請求項２に係る発明は、ころを収容するポケットを有する環状部と、該環状部の前記ころの頭部側に径方向外方に延設されて該ころの頭部を保持する外向きフランジ部と、該外向きフランジ部に突設されて前記ころの頭部に掛止する爪部とを備えた自動調心ころ軸受用保持器であって、
前記爪部の基端部側の前記外向きフランジ部に切欠きを形成して前記爪部と前記外向きフランジ部との間にアーム部を設けることにより、前記爪部に弾性を付与したことを特徴とする。
【発明の効果】
【０００９】
本発明によれば、保持器の爪部の基端部側の外向きフランジ部に切欠きを形成して爪部と外向きフランジ部との間にアーム部を設けることにより、爪部に弾性を付与しているので、保持器にころを挿入する際に爪部が容易に弾性変形して比較的小さな力で爪部を乗り越えさせることができ、これにより、保持器にころを挿入する作業の効率化を図ることができる。
また、保持器にころを挿入した後においては、弾性により爪部が元の位置に復帰してころの頭部に掛止するので、ころ挿入後に保持器からころが外れるのを確実に防止することができる。
【発明を実施するための最良の形態】
【００１０】
以下、本発明の実施の形態の一例を図を参照して説明する。図１は本発明の実施の形態の一例である自動調心ころ軸受用保持器の周方向の一部を示す図、図２は図１のＡ−Ａ線断面図、図３はころ挿入時の爪部の変形を説明するための説明図、図４〜図６は本発明の他の実施の形態である自動調心ころ軸受用保持器を説明するための説明図である。なお、各実施の形態共に、既に図７で説明した自動調心ころ軸受に対して保持器が相違するだけであるため、保持器についてのみ説明する。
【００１１】
本発明の実施の形態の一例である自動調心ころ軸受保持器１０はプレス成形等により一体に形成されたもので、図１及び図２に示すように、球面ころ３を収容するポケット１１を有する環状部１２と、該環状部１２の前記球面ころ３の頭部側に径方向外方に延設されて該球面ころ３の頭部を保持する外向きフランジ部１３と、該外向きフランジ部１３に突設されて前記球面ころ３の頭部に掛止する爪部１４とを備えており、環状部１２の前記球面ころ３の尾部側には径方向内方に延びる小径フランジ部１５が形成されている。
【００１２】
そして、外向きフランジ部１３に突設された爪部１４は、保持器１０に球面ころ３を挿入した後、球面ころ３の頭部に形成された凹部３ａ（図３参照）に掛止して球面ころ３が保持器１０から外れるのを防止する。
ここで、この実施の形態では、爪部１４の基端部の周方向両側位置で外向きフランジ部１３に例えばＲ状の切欠き２０を形成して爪部１４と外向きフランジ部１３との間にアーム部２１を設け、これにより、爪部１４に弾性を付与している。
【００１３】
このようにこの実施の形態では、爪部１４の基端部側の外向きフランジ部１３に形成した切欠き２０によって爪部１４と外向きフランジ部１３との間にアーム部２１を設け、このアーム部２１を介して爪部１４に弾性を付与しているので、図３に示すように、保持器１０に球面ころ３を挿入する際に爪部１４が容易に弾性変形して比較的小さな力で爪部１４を乗り越えさせることができ、これにより、挿入ミスが大幅に減少して保持器１０に球面ころ３を挿入する作業の効率化を図ることができる。
【００１４】
また、保持器１０に球面ころ３を挿入した後においては、弾性により爪部１４が元の位置に復帰して球面ころ３の頭部の凹部３ａに掛止するので、ころ挿入後に保持器１０から球面ころ３が外れるのを確実に防止することができる。
なお、本発明の自動調心ころ軸受、内輪、外輪、ころ、保持器、ポケット、環状部、外向きフランジ部、爪部、切欠き、アーム部等の構成は上記実施の形態に限定されるものではなく、本発明の要旨を逸脱しない範囲において適宜変更可能である。
【００１５】
例えば、上記実施の形態では、アーム部２１の幅を爪部１４の幅と略同一とした場合を例に採ったが、必ずしもこのようにする必要はなく、例えば図４〜図６に示すように、爪部１４の基端部から周方向に所定距離離間した両側位置で外向きフランジ部１３に切欠き２０を形成して爪部１４と外向きフランジ部１３との間に爪部１４の幅より幅広のアーム部２１ａを設け、これにより、爪部１４に弾性を付与するようにしてもよい。
【図面の簡単な説明】
【００１６】
【図１】本発明の実施の形態の一例である自動調心ころ軸受用保持器の周方向の一部を示す図である。
【図２】図１のＡ−Ａ線断面図である。
【図３】ころ挿入時の爪部の変形を説明するための説明図である。
【図４】本発明の他の実施の形態である自動調心ころ軸受用保持器の周方向の一部を示す図である。
【図５】図４のＡ−Ａ線断面図である。
【図６】ころ挿入時の爪部の変形を説明するための説明図である。
【図７】従来の自動調心ころ軸受の一例を示す要部断面図である。
【図８】従来の自動調心ころ軸受用保持器の周方向の一部を示す図である。
【図９】図８のＡ−Ａ線断面図である。
【図１０】ころ挿入時の爪部の変形を説明するための説明図である。
【符号の説明】
【００１７】
１  内輪
２  外輪
３  球面ころ
１０  自動調心ころ軸受用保持器
１１  ポケット
１２  環状部
１３  外向きフランジ部
１４  爪部
２０  切欠き
２１  アーム部
【図１】
2006017137.tif 000003
【図２】
2006017137.tif 000004
【図３】
2006017137.tif 000005
【図４】
2006017137.tif 000006
【図５】
2006017137.tif 000007
【図６】
2006017137.tif 000008
【図７】
2006017137.tif 000009
【図８】
2006017137.tif 000010
【図９】
2006017137.tif 000011
【図１０】
2006017137.tif 000012